(57)【要約】【課題】ジャック部材へのプラグの挿入によってジャック部材が電装基板から剥離するのを防止する構造を備えたリモコンを提供する。【解決手段】壁面Ｗに固定されるリモコン基台２と、リモコン基台２に着脱自在に取り付けられるリモコン本体３とで構成されるとともに、リモコンケース４に収容された電装基板５の背面側にジャック部材６が面実装されているリモコン１において、リモコン基台２側に、リモコン本体３がリモコン基台２に取り付けられたときに、ジャック部材６の背面側の部位６ａと接触してジャック部材６が電装基板５から剥離するのを防止する剥離防止部９を設ける。【選択図】図３
2014049917.tif 000002
【特許請求の範囲】
【請求項１】
壁面に固定されるリモコン取付用のリモコン基台と、リモコンケース内に前記リモコン基台と対面するように電装基板を収容するとともに、前記リモコン基台に着脱自在に取り付けられるリモコン本体とからなり、前記電装基板において前記リモコン基台と対面する面に外部機器との接続用のジャック部材が実装されているリモコンにおいて、
前記リモコン基台には、前記リモコン本体を前記リモコン基台に取り付けたときに、前記ジャック部材のリモコン基台側の部位と接触することによって前記ジャック部材が前記電装基板から剥離するのを防止する剥離防止部が形成されていることを特徴とするリモコン。
【請求項２】
前記剥離防止部は、前記リモコン基台の一部を前記ジャック部材側に突出させることによって形成されていることを特徴とする請求項１に記載のリモコン。
【請求項３】
前記リモコン基台は、１枚の金属板を所定形状に加工することによって構成され、
前記剥離防止部は、前記金属板の一部を前記ジャック部材側に曲折することによって形成されることを特徴とする請求項１または２に記載のリモコン。
【請求項４】
前記剥離防止部は、前記リモコン本体が前記リモコン基台に取り付けられたときに、前記ジャック部材を前記電装基板側に押し付ける弾性を備えていることを特徴とする請求項１から３のいずれかに記載のリモコン。
【発明の詳細な説明】
【技術分野】
【０００１】
この発明はリモコンに関し、より詳細には、台所などの壁面に取り付けられるタイプのリモコンであって、リモコンケース内に収容された電装基板に外部機器を接続するためのジャック部材が実装されたリモコンにおけるジャック部材の剥離防止構造に関する。
【背景技術】
【０００２】
従来、給湯装置や床暖房装置などのリモコン（遠隔操作装置）においては、台所や居室の壁面に取り付けるタイプのリモコンが提供されている。そして、この種のリモコンにおいては、デジタルオーディオプレーヤや温度センサなどの外部機器を接続するためのジャック部材が備えられたものがある（たとえば、特許文献１および特許文献２参照）。
【０００３】
図５はこのようなジャック部材を備えたリモコンの概略構成を示している。この図５に示すリモコン１は、壁面Ｗに固定されるリモコン取付用のリモコン基台２と、リモコン基台２に着脱自在に取り付けられるリモコン本体３とを主要部として構成されている。
【０００４】
そして、リモコン本体３は、背面側が開口された箱状のリモコンケース４内に、上記リモコン基台２と対面するように電装基板５を収容して構成されており、この電装基板５においてリモコン基台２と対面する面（背面側）に、上記外部機器との接続用のジャック部材６およびその他の電気部品等（図示せず）の多くが実装されている。なお、図５において７は上記ジャック部材６のプラグ差込孔（図示せず）に挿入される接続用のプラグであり、このプラグ７が接続ケーブル８を介して外部機器（図示せず）に接続されている。
【先行技術文献】
【特許文献】
【０００５】
【特許文献１】特開平９−２５７２５９号公報
【特許文献２】特開２００２−２４３２７３号公報
【発明の概要】
【発明が解決しようとする課題】
【０００６】
しかしながら、このように電装基板のリモコン基台と対面する面にジャック部材が備えられたリモコンには以下のような問題があり、その改善が望まれていた。
【０００７】
すなわち、近時におけるこの種のリモコン１では、装置の薄型化等の要請から、ジャック部材６が電装基板５に面実装（表面実装）されることが多く、また、これに伴ってジャック部材６のプラグ差込孔が壁面Ｗに近い位置で壁面Ｗと平行に配設される傾向がある。
【０００８】
ここで、このように配設されたリモコン１のジャック部材６にユーザがプラグ７を差し込む場合、当該プラグ７がプラグ差込孔の方向に沿って（つまり、プラグ７を壁面Ｗと平行に保持して）差し込めば特段の問題は生じないが、プラグ７がリモコン１の正面側から斜めに差し込まれると（図５参照）、電装基板５の壁面Ｗ側（つまり、リモコン基台２側）に実装されているジャック部材６には電装基板５から引きはがす方向の力が作用するので、このような斜め方向からの挿入が繰り返されると、ジャック部材６が電装基板５から剥離してしまうという問題があった。
【０００９】
なお、この点については、リモコンケース４の背面側に該リモコンケース４の開口部を塞ぐ蓋部材を備えさせ、この蓋部材とリモコンケース４との間にジャック部材６を挟み込んで固定することにより、ジャック部材６の剥離を防止することもできるが、そのように蓋部材を備えたリモコンでは薄型化の要請を満足させることができないという問題もあった。
【００１０】
本発明は、このような問題点に鑑みてなされたものであって、その目的とするところは、薄型化の要請を満足させつつ、ジャック部材へのプラグの挿入に伴う電装基板からのジャック部材の剥離を防止し得る構造を備えたリモコンを提供することにある。
【課題を解決するための手段】
【００１１】
上記目的を達成するため、本発明の請求項１に記載のリモコンは、壁面に固定されるリモコン取付用のリモコン基台と、リモコンケース内に上記リモコン基台と対面するように電装基板を収容するとともに、上記リモコン基台に着脱自在に取り付けられるリモコン本体とからなり、上記電装基板において上記リモコン基台と対面する面に外部機器との接続用のジャック部材が実装されているリモコンにおいて、上記リモコン基台には、上記リモコン本体を上記リモコン基台に取り付けたときに、上記ジャック部材のリモコン基台側の部位と接触することによって上記ジャック部材が上記電装基板から剥離するのを防止する剥離防止部が形成されていることを特徴とする。
【００１２】
すなわち、本発明の請求項１に係るリモコンでは、リモコン本体をリモコン基台に取り付けると、電装基板のリモコン基台と対面する面に実装されたジャック部材には、リモコン基台側に形成された剥離防止部が接触するので、ジャック部材にプラグを差し込むにあたって電装基板のリモコン基台とは反対の面側からプラグが斜めに差し込まれても、ジャック部材の浮き上がりが剥離防止部によって阻止され、ジャック部材が電装基板から剥離することが防止される。
【００１３】
そして、本発明の請求項２に記載のリモコンは、請求項１に記載のリモコンにおいて、上記剥離防止部は、上記リモコン基台の一部を上記ジャック部材側に突出させることによって形成されることを特徴とする。
【００１４】
すなわち、この請求項２に係るリモコンでは、上記剥離防止部がリモコン基台の一部をジャック部材側に突出させることによって形成されるので、従来のリモコン基台に対してわずかな設計変更を加えるだけで、本発明に係るリモコンを提供することができる。
【００１５】
また、本発明の請求項３に記載のリモコンは、請求項１または２に記載のリモコンにおいて、上記リモコン基台は１枚の金属板を所定形状に加工することによって構成され、上記剥離防止部は上記金属板の一部を上記ジャック部材側に曲折することによって形成されることを特徴とする。
【００１６】
すなわち、この請求項３に係るリモコンでは、剥離防止部がリモコン基台と共通の１枚の金属片によって形成されるので、剥離防止部の追加に伴う部品点数の増加が回避され、本発明に係るリモコンを安価に提供することができる。
【００１７】
また、本発明の請求項４に記載のリモコンは、請求項１から３のいずれかに記載のリモコンにおいて、上記剥離防止部は、上記リモコン本体が上記リモコン基台に取り付けられたときに、上記ジャック部材を上記電装基板側に押し付ける弾性を備えていることを特徴とする。
【００１８】
すなわち、この請求項４に係るリモコンでは、剥離防止部に、リモコン本体をリモコン基台に取り付けたときに、ジャック部材を電装基板側に押し付ける方向で作用する弾性が与えられているので、ジャック部材と剥離防止部の間に隙間が発生するのが防止され、ジャック部材の剥離防止効果をより確実なものとすることができる。
【発明の効果】
【００１９】
本発明によれば、リモコン本体をリモコン基台に取り付けたときに、電装基板のリモコン基台と対面する面に実装されたジャック部材にリモコン基台に形成された剥離防止部が接触しジャック部材の剥離が防止されるので、ジャック部材にプラグを差し込む際に電装基板のリモコン基台とは反対の面側からプラグが斜めに差し込まれることがあっても、ジャック部材がリモコン基台から剥離するのが防止される。
【図面の簡単な説明】
【００２０】
【図１】本発明に係るリモコンにおけるリモコン基台の概略構成を示しており、図１（ａ）は同リモコン基台の外観を示す斜視図であり、図１（ｂ）は図１（ａ）のＩ−Ｉ線に沿った部分拡大断面図である。
【図２】同リモコンの壁面への取り付け方法を示す分解斜視図である。
【図３】同リモコンにおける剥離防止部とジャック部材の接触状態の一例を示す部分拡大断面図である。
【図４】同リモコンにおける剥離防止部の他の実施形態を示す説明図であり、図４（ａ）は同剥離防止部の外観構成を示す部分拡大斜視図であり、図４（ｂ）はリモコン基台へのリモコン本体の取付方法を模式的に示す説明図である。
【図５】従来のリモコンにおけるジャック部材の実装状態を示す側面断面図である。
【発明を実施するための形態】
【００２１】
以下、本発明の実施形態を図面に基づいて詳細に説明する。
実施形態１
本発明に係るリモコンは、図５に示す従来のリモコン１のリモコン基台２に、ジャック部材６の剥離（電装基板５からの剥離）を防止する剥離防止部９を備えさせたものであり、リモコン基台２が剥離防止部９を備えたこと以外は従来のリモコン１と構成が共通する。したがって、以下の説明では構成が共通する部分には同一の符号を付するものとする。
【００２２】
図１は、本発明のリモコン１に用いられるリモコン基台２を示している。このリモコン基台２は、リモコン本体３を壁面Ｗに取り付ける際の取付ベースとなる部材であって、リモコン本体３を取り付ける壁面Ｗにあらかじめビスなどで固定して用いられる。
【００２３】
本実施形態では、このリモコン基台２は、図１（ａ）に示すように、１枚の金属板を所定形状に加工（打抜き、折曲加工等）することによって形成されている。このように加工されたリモコン基台２には、リモコン本体３を取り付ける際にリモコンケース４と係合する係合凹部２ａや係合片２ｂが形成されるとともに、ジャック部材６が電装基板５から剥離するのを防止するための剥離防止部９が形成されている。すなわち、本実施形態では、この剥離防止部９は、係合凹部２ａや係合片２ｂなどとともに１枚もののリモコン基台２の一部として形成されている。
【００２４】
ここで、リモコンケース４は、背面側（リモコン基台２側）が開口された箱状の樹脂製ケースで構成されており、その内部にはリモコン基台２と対面する位置に電装基板５が収容されている（図５参照）。そして、このリモコンケース４の内壁面の所定位置には上記係合凹部２ａや係合片２ｂと係合してリモコンケース４（リモコン本体３）をリモコン基台２に装着・固定させる係合部（図示せず）が形成されており、図２に示すように、壁面Ｗに固定されたリモコン基台２の斜め上方からリモコンケース４を斜め下向きにスライドさせることによって、リモコン基台２側の係合凹部２ａと係合片２ｂとがリモコンケース４側の係合部に係合し、リモコンケース４がリモコン基台２に着脱自在に取り付けられるようになっている。
【００２５】
また、リモコンケース４内に収容される電装基板５には、リモコン１の動作に必要な各種電気部品等が実装されており、この電装基板５において、リモコン基台２と対面する側の面（つまり、背面側）に外部機器とリモコン１とを接続するためのジャック部材６が実装されている。より具体的には、本実施形態では、このジャック部材６は、図５に示すように、電装基板５の背面側の下端縁に面実装（表面実装）されている。すなわち、ジャック部材６は、外部機器接続用のプラグ差込孔（図示せず）がリモコンケース４の下端面に開口して設けられるように電装基板５に取り付けられている。
【００２６】
そして、上記剥離防止部９は、リモコン基台２において電装基板５に実装されたジャック部材６と対応する位置に形成され、リモコン本体３をリモコン基台２に取り付けたときに、ジャック部材６のリモコン基台側（背面側）の部位６ａと接触し、ジャック部材６が電装基板５から剥離するのを防止するように構成されている。すなわち、剥離防止部９は、リモコン本体３をリモコン基台２に取り付けたときに、ジャック部材６の背面側の部位６ａと接触するように、リモコン基台２の一部をジャック部材６側に突出させることによって形成されている。
【００２７】
本実施形態では、上述したように、リモコン基台２は１枚ものとして構成されていることから、この剥離防止部９は、たとえば、図１（ｂ）に示すように、ジャック部材６の実装位置に対応するリモコン基台２の下端縁の一部を切り欠いて舌片状の部位９１を形成するとともに、この舌片状の部位９１をジャック部材６側に高さＨだけ突出するように折曲し、その先端部９１ａがジャック部材６の背面側の部位６ａと接触するように構成している。
【００２８】
そして、この舌片状の部位９１の加工にあたっては、リモコン本体３をリモコン基台２に取り付けた状態において、舌片状の部位９１の先端部９１ａの正面側の面と電装基板５に実装されたジャック部材６の背面側部位６ａの頂上部分（最もリモコン基台２に近い部分）との距離が０以下となる（つまり、両者が接触する）ように、先端部９１ａの高さ寸法Ｈが設定される。
【００２９】
なお、この設定にあたっては、たとえば、両者の距離を０未満に設定することによって、リモコン本体３をリモコン基台２に取り付けたときに、剥離防止部９にジャック部材６を電装基板５側に押し付ける弾性を備えさせておくことも可能である。すなわち、この場合、舌片状の部位９１の厚みを薄くしたり、部分的に幅を狭くするなど、舌片状の部位９１に適度な弾性が与えられるように構成しておく。そして、このように剥離防止部９に弾性を付与しておくことにより、ジャック部材６と剥離防止部９との間に隙間が生じるのを確実に防止することができ、ジャック部材６の剥離防止効果をより高めることができる。
【００３０】
また、この舌片状の部位９１においてジャック部材６と接触する先端部９１ａの形状等については、ジャック部材６の浮き上がりを効果的に防止できるようにするために、ジャック部材６のプラグ差込孔の形成方向に沿ってできるだけ広い範囲で舌片状の部位９１の先端部９１ａがジャック部材６と接触するように構成することが望ましく、また、よりプラグ差込孔に近い範囲を含んで両者が接触するように構成されるのが望ましい。
【００３１】
このように、本発明に係るリモコン１は、壁面Ｗに固定されるリモコン基台２と、当該リモコン基台２に着脱自在に取り付けられるリモコン本体３とで構成され、リモコン本体３をリモコン基台２に取り付けたときに、リモコンケース４内に収容された電装基板５の背面側に面実装されるジャック部材６と接触してジャック部材６の剥離を防止する剥離防止部９がリモコン基台２側に形成されているので、ジャック部材６にプラグ７を差し込む際に、当該プラグ７が正面側から斜めに差し込まれても、剥離防止部９によってジャック部材９の浮き上がりが阻止される。
【００３２】
そのため、リモコン１の側面にプラグ差込孔が開口される構造のリモコン１について、プラグ７の抜き差しによるジャック部材６の剥離防止を簡単な構成で実現することが可能になる。また、剥離防止部９をリモコン基台２と一枚もので構成しているので、剥離防止部９の追加に伴う部品点数の増加が回避され、安価なリモコンを提供することができる。
【００３３】
実施形態２
次に、本発明の第２の実施形態を図４に基づいて説明する。
本実施形態に示すリモコン１は、図４（ａ）に示すように、リモコン基台２に形成される剥離防止部９の形状を変更したものであって、その他の基本的な構成は上述した実施形態１に示すリモコン１と同様である。したがって、構成が共通する部位には同一の符号を付して説明は省略する。
【００３４】
この図４（ａ）に示す剥離防止部９は、リモコン基台２においてジャック部材６と対応する位置の一部を切り欠いて舌片状の部位９２を形成させるとともに、当該舌片状の部位９２を途中から正面側（電装基板５側）に向けて折曲・起立させて、この舌片状の部位９２の先端面にジャック部材６の背面側の部位６ａの形状に対応する凹状切欠部９３を形成させている。
【００３５】
すなわち、本実施形態に示す剥離防止部９は、凹状切欠部９３の内壁面をジャック部材６の背面側の部位６ａに接触させることによってジャック部材６の剥離を防止するように構成されている。したがって、この凹状切欠部９３の形状はジャック部材６の背面側の部位６ａの形状に合わせて設定される。ここで、図４（ａ）では、この凹状切欠部９３を円弧状に形成した場合を示しているが、これは本実施形態に示すリモコン１のジャック部材６の背面側の形状が円弧状に形成されていることに対応するものであり、たとえば、ジャック部材６の背面側の部位６ａの形状が矩形であれば、この凹状切欠部９３の形状もそれに合わせて矩形に設定される。
【００３６】
そして、本実施形態に示す剥離防止部９においても上述した実施形態１と同様に、舌片状の部材９２の加工にあたっては、リモコン本体３をリモコン基台２に取り付けた状態において、舌片状の部位９２の凹状切欠部９３とジャック部材６の背面側部位６ａとの距離が０以下となる（つまり、両者が接触する）ように、舌片状の部材９２の折曲位置が設定される。
【００３７】
なお、その際に両者の距離を０未満に設定することが可能な点も実施形態１と同様である。ただし、この場合には、たとえば、舌片状の部材９２の根元部分（折曲されるまでの部分）に弾性を持たせるなどしておくことが望ましい。
【００３８】
図４（ｂ）は、本実施形態に示す構造の剥離防止部９を備えたリモコン基台２へのリモコン１の取付方法の一例を示している。本実施形態に示すリモコン基台２の剥離防止部９は、上述したように、リモコン基台２から折曲・起立させた舌片状の部位９２の先端面に形成される凹状切欠部９３をジャック部材６の背面側の部位６ａに嵌合させるようにして両者を接触させることから、図２に示したように、リモコン基台２の斜め上方からリモコンケース４を斜め下向きにスライドさせてリモコンケース４（リモコン本体３）を装着するよりも、図４（ｂ）に示すように、リモコンン基台２の上端部にリモコンケース４（リモコン本体３）の内壁上部と係合する係合部を形成しておき、この係合部を回転軸としてリモコンケース４の下端部を図中の矢符に示すように揺動させて装着する方法が好適に採用され得る。
【００３９】
そして、このようにリモコンケース４の下端部を揺動させてリモコン基台２に取り付けることにより、背面側に向かって起立して設けられた舌片状の部位９２に備えられる凹状切欠部９３とジャック部材６とを容易かつ正確に係合・接触させることができる。
【００４０】
しかして、このように構成された本実施形態のリモコン１も、上述した実施形態１に示すリモコン１と同様に、リモコン本体３をリモコン基台２に取り付けたときに、電装基板５の背面側に面実装されたジャック部材６と剥離防止部９とが接触し、ジャック部材６の剥離が防止される。
【００４１】
なお、上述した実施形態は本発明の好適な実施態様を示すものであって、本発明はこれらに限定されることなく発明の範囲内で種々の設計変更が可能である。
【００４２】
たとえば、上述した実施形態では、ジャック部材６が電装基板５の背面側の下端縁に実装された場合を示したが、ジャック部材６は電装基板５の背面側であれば下端縁以外の位置、たとえば、電装基板５の左右いずれか一方の端縁に実装される構成であってもよい。そして、このようにジャック部材６の位置が変更された場合には、当該ジャック部材６の位置変更に応じて剥離防止部９の配設位置も変更される。つまり、電装基板５の左（または右）側の端縁にジャック部材６が実装される場合には、それに応じて剥離防止部９もリモコン基台２の左（または右）の端縁に形成される。
【００４３】
また、上述した実施形態では、剥離防止部９はリモコン基台２と１枚もので（つまり、リモコン基台２と一体に）形成した場合を示したが、剥離防止部９は、リモコン基台２側に設けられ、かつ、ジャック部材６と接触することによってジャック部材６の剥離を防止する構成であれば、リモコン基台２と一枚もので構成される必要はない。すなわち、リモコン基台２側に別部材（別部品）で構成された剥離防止部９を設けるように構成することも可能である。
【００４４】
また、上述した実施形態では、本発明を給湯装置や床暖房装置のリモコンに用いた場合について説明したが、本発明は、壁面Ｗに固定されるリモコン基台２と、リモコン基台２に着脱自在に取り付けられるリモコン本体３とで構成されるとともに、リモコンケース４に収容された電装基板５の背面側にジャック部材６が面実装されるリモコンであれば、給湯装置や床暖房装置以外の機器のリモコンにももちろん適用可能である。
【符号の説明】
【００４５】
１            リモコン
２            リモコン基台
３            リモコン本体
４            リモコンケース
５            電装基板
６            ジャック部材
７            外部機器との接続用のプラグ
８            接続ケーブル
９            剥離防止部
９１，９２    舌片状の部材
９３          凹状切欠部
【図１】
2014049917.tif 000003
【図２】
2014049917.tif 000004
【図３】
2014049917.tif 000005
【図４】
2014049917.tif 000006
【図５】
2014049917.tif 000007